(57)【特許請求の範囲】
【請求項１】
鋼材で形成した所定直径のリング（３Ａ）と、このリングの下面における直径位置に掛架固定された板（３Ｂ）から構成されている台座金具（３）に、波や流れによってしなやかに撓む可撓性をもつと共に容易に切断されない強度を有し、産卵された個数の卵塊の重量に対しても直立を保つ浮力や硬度を有する素材をもってなる所定長さの茎（１Ａ）と、この茎に下方から上方に所定間隔をもって取付けられた主枝（１Ｂ、１Ｂ．．）と、主枝に所定間隔をもって取付けられた枝（１Ｃ、１Ｃ．．）と、茎（１Ａ）の下端に形成された取付け用小枠（１Ｄ）から構成され、茎（１Ａ）と主枝（１Ｂ）、主枝（１Ｂ）と枝（１Ｃ）の連結は、結束タイ（１Ｅ）により結束され、取付け用小枠（１Ｄ）はループ状に構成した枠を茎（１Ａ）の下端に結束タイ（１Ｅ）により結束して連結され、かつ、茎（１Ａ）、主枝（１Ｂ）、枝（１Ｃ）、取付け用小枠（１Ｄ）の素材は、ポリオレフィン系などの高分子系発泡素材、上記高分子系発泡素材に強度保持材として化学繊維を挟み込んだ素材、ピアノ線などの撓み特性を有する鋼材形成品に、上記素材や繊維で被覆した素材のうちのいずれかが使用されている人工産卵基質（１、１．．）を所望する間隔をもって取付け、更に、前記人工産卵基質を取付けた前記台座金具（３）を所望のブロック（３Ｄ）に取付け固定したことを特徴とする魚類の産卵場用魚礁。
【請求項２】
茎（１Ａ）、主枝（１Ｂ）、枝（１Ｃ）が、
Ａ．茎（１Ａ）を中心として主枝（１Ｂ、１Ｂ．．）の取付け方向を直交するよう連結する、
Ｂ．茎（１Ａ）に対する主枝（１Ｂ、１Ｂ．．）の取付け間隔が等間隔である、
Ｃ．茎（１Ａ）に対する主枝（１Ｂ、１Ｂ．．）の取付け間隔が茎の下方部分で密な状態である、
Ｄ．茎（１Ａ）に対する主枝（１Ｂ、１Ｂ．．）の取付け間隔が茎の上方部分で密な状態である、
Ｅ．茎（１Ａ）に対する主枝（１Ｂ、１Ｂ．．）の取付け間隔が茎の中央部分で密な状態である、又は、
Ｆ．茎（１Ａ）と、主枝（１Ｂ、１Ｂ．．）と、枝（１Ｃ、１Ｃ．．）と、取付け用小枠（１Ｄ）を一体成形する、
のいずれかに構成されている請求項１記載の魚類の産卵場用魚礁。
【発明の詳細な説明】
【０００１】
【発明の属する技術分野】
本発明は、魚類の産卵場として機能する魚類の産卵場用魚礁に係るものである。
すなわち、魚類の産卵が安定して行われるように、年変動が無く、産卵基質となり、また、天然のウガノモクやホンダワラ類などの海藻が着生していない海域でも産卵基質を提供できる人工的な産卵基質、人工的な藻場環境および藻場生態系の創出に関するものである。
【０００２】
【従来の技術】
従来のハタハタをはじめとする魚類の産卵は、下記のような状態である。
ハタハタは北海道周辺の海域底層に広く分布し、秋から冬にかけて接岸回遊する。
産卵は、ウガノモクやホンダワラ類などの枝分かれした叉状部分を中心として卵塊を産み付ける。
ハタハタの産卵行動は天然の海藻に体をこすりつけるようにして行われ、ハタハタが産卵基質として認識した天然の海藻類、すなわち、ウガノモクやホンダワラ類などに選択的に産卵すると考えられている。
【０００３】
【発明が解決しようとする課題】
このように、従来、ハタハタをはじめとする魚類の産卵は、天然のウガノモクやホンダワラ類を代表とする海藻に集中的に産卵が行われており、極めて選択性が強く、人工物への産卵事例は少ない。
また、これら天然海藻類の繁茂量は年変動が大きく、それに伴い産卵量も大きく変動している。
このため、魚類の産卵が安定して行われるように、年変動が無く、産卵基質となる天然海藻類の着生していない海域でも産卵基質を提供できる人工的な産卵基質の開発が望まれている。
【０００４】
本発明は、従来の技術の有するこのような問題点に鑑みなされたものであり、その目的とするところは、次のようなことのできるものを提供しようとするものである。
魚類の産卵基質として有効な人工産卵基質の開発を行い、安定した産卵基質の提供及び新たな産卵場の創出を行うため、魚類が産卵を行っている天然海藻類の構造と同様な茎及び主枝と枝をもっており、魚類が産卵基質として好む空間的な大きさ及び枝分かれを有し、波や流れによってしなやかに撓む柔軟性をもつと共に容易に切断されない強度を有し、産卵された個数の卵塊の重量に対しても直立を保つ浮力や硬度を有する素材で構成されている人工産卵基質を開発した。
このようなことから、本発明に使用される素材は下記の通りのものとなっている。
ａ．高分子系発泡素材（例えば、環境への影響が少ないポリオレフィン系など）。
ｂ．上記高分子系発泡素材に強度保持材として化学繊維を挟み込んだ素材。
ｃ．ピアノ線などの撓み特性を有する鋼材形成品に、上記素材や繊維で被覆した素材。
【０００５】
【課題を解決するための手段】
上記目的を達成するために、本発明は下記のようになるものである。
【０００６】
請求項１記載の発明は、鋼材で形成した所定直径のリング３Ａと、このリングの下面における直径位置に掛架固定された板３Ｂから構成されている台座金具３に、波や流れによってしなやかに撓む可撓性をもつと共に容易に切断されない強度を有し、産卵された個数の卵塊の重量に対しても直立を保つ浮力や硬度を有する素材をもってなる所定長さの茎１Ａと、この茎に下方から上方に所定間隔をもって取付けられた主枝１Ｂ、１Ｂ．．と、主枝に所定間隔をもって取付けられた枝１Ｃ、１Ｃ．．と、茎１Ａの下端に形成された取付け用小枠１Ｄから構成され、茎１Ａと主枝１Ｂ、主枝１Ｂと枝１Ｃの連結は、結束タイ１Ｅにより結束され、取付け用小枠１Ｄはループ状に構成した枠を茎１Ａの下端に結束タイ１Ｅにより結束して連結され、かつ、茎１Ａ、主枝１Ｂ、枝１Ｃ、取付け用小枠１Ｄの素材は、ポリオレフィン系などの高分子系発泡素材、上記高分子系発泡素材に強度保持材として化学繊維を挟み込んだ素材、ピアノ線などの撓み特性を有する鋼材形成品に、上記素材や繊維で被覆した素材のうちのいずれかが使用されている人工産卵基質１、１．．を所望する間隔をもって取付け、更に、前記人工産卵基質を取付けた前記台座金具３を所望のブロック３Ｄに取付け固定したことを特徴とするものである。
【０００７】
請求項２記載の発明は、請求項１記載の発明において、茎１Ａ、主枝１Ｂ、枝１Ｃが、
Ａ．茎１Ａを中心として主枝１Ｂ、１Ｂ．．の取付け方向を直交するよう連結する、
Ｂ．茎１Ａに対する主枝１Ｂ、１Ｂ．．の取付け間隔が等間隔である、
Ｃ．茎１Ａに対する主枝１Ｂ、１Ｂ．．の取付け間隔が茎の下方部分で密な状態である、
Ｄ．茎１Ａに対する主枝１Ｂ、１Ｂ．．の取付け間隔が茎の上方部分で密な状態である、
Ｅ．茎１Ａに対する主枝１Ｂ、１Ｂ．．の取付け間隔が茎の中央部分で密な状態である、又は、
Ｆ．茎１Ａと、主枝１Ｂ、１Ｂ．．と、枝１Ｃ、１Ｃ．．と、取付け用小枠１Ｄを一体成形する、
のいずれかに構成されていることを特徴とするものである。
【０００８】
【発明の実施の形態】
以下、本発明の実施の形態を実施例にもとづき図面を参照して説明する。
【０００９】
１は本発明の魚類の産卵場用魚礁Ａに用いる人工産卵基質である。
その構成は下記の通りである。
【００１０】
まず、この人工産卵基質１は、波や流れによってしなやかに撓む可撓性をもつと共に容易に切断されない強度を有し、産卵された個数の卵塊の重量に対しても直立を保つ浮力や硬度を有する素材をもってなる所定長さの茎１Ａと、この茎に下方から上方に所定間隔をもって取付けられた主枝１Ｂ、１Ｂ．．と、主枝に所定間隔をもって取付けられた枝１Ｃ、１Ｃ．．と、茎１Ａの下端に形成された取付け用小枠１Ｄから構成されている。
茎１Ａと主枝１Ｂ、主枝１Ｂと枝１Ｃの連結は、結束タイ１Ｅにより結束されている。
なお、この連結は、接着剤を使用する方法、熱融着による方法で行うことができる。
また、取付け用小枠１Ｄはループ状に構成した枠を茎１Ａの下端に結束タイ１Ｅにより結束して連結されている。
【００１１】
なお、茎１Ａ、主枝１Ｂ、枝１Ｃ、取付け用小枠１Ｄの素材は、下記のうちのいずれかを使用した。
ａ．高分子系発泡素材（例えば、環境への影響が少ないポリオレフィン系など）
ｂ．上記高分子系発泡素材に強度保持材として化学繊維を挟み込んだ素材。
ｃ．ピアノ線などの撓み特性を有する鋼材形成品に、上記素材や繊維で被覆した素材。
【００１２】
これは下記の理由によるものである。
卵塊が産み付けられても産卵基質は波により揺れながら強い波によって流失せず自立姿勢を保持する必要があること。
産み付けられた卵塊に対し海中の溶存酸素を安定的に供給するため、波によって揺れる素材が必要であること。
産卵基質は、天然海藻に類似した形状や素材硬度を必要とすること。
【００１３】
この人工産卵基質１は、下記のいずれかのように構成することができる。
Ａ．茎１Ａを中心として主枝１Ｂ、１Ｂ．．の取付け方向を直交するよう連結する。（図２、３、４参照〜１イ）
Ｂ．茎１Ａに対する主枝１Ｂ、１Ｂ．．の取付け間隔が等間隔である。（図５参照〜１ロ）
Ｃ．茎１Ａに対する主枝１Ｂ、１Ｂ．．の取付け間隔が茎の下方部分で密な状態である。（図６参照〜１ハ）
Ｄ．茎１Ａに対する主枝１Ｂ、１Ｂ．．の取付け間隔が茎の上方部分で密な状態である。（図７参照〜１ニ）
Ｅ．茎１Ａに対する主枝１Ｂ、１Ｂ．．の取付け間隔が茎の中央部分で密な状態である。（図８参照〜１ホ）
Ｆ．茎１Ａと、主枝１Ｂ、１Ｂ．．と、枝１Ｃ、１Ｃ．．と、取付け用小枠１Ｄを一体成形する。（図９参照〜１ヘ）
Ｇ．図示は省略するが、主枝１Ｂに取付けられる枝１Ｃは、当該枝同士を密な状態にしたり粗の状態にしたりして海域に応じたものとすることは当然である。
【００１４】
Ａは、人工産卵基質１を用いた本発明の魚類の産卵場用魚礁である。
下記のように構成されている。（図１０〜図１４参照）
【００１５】
鋼材で形成した所定直径のリング３Ａと、このリングの下面における直径位置に掛架固定され、中心に円孔３Ｃ１が開設された板３Ｂから構成されている台座金具３に、取付け用小枠１Ｄとリング３Ａとが結束タイ３Ｃにより結束して取付けられている上記人工産卵基質１、１．．を所望する間隔をもって取付け、人工産卵基質の取付けを所望するテトラポッド（登録商標）などのブロック３Ｄに、人工産卵基質の取付けた台座金具３を、当該台座金具３における円孔３Ｃ１を利用して固定ピン３Ｅで取付け固定されている。
【００１６】
【実施例】
さらに、以下のような条件で実験した結果、極めて良好な結果が得られた。
ハタハタの産卵が確認されている苫小牧港の東港の一部の防波堤で、発明した人工産卵基質を用いてハタハタ産卵礁の試験調査を行った結果、平成１２年１１月の調査において、設置した人工産卵基質のすべてにハタハタの産卵が確認され、極めて効果が高いことが判明した。
【００１７】
【発明の効果】
本発明は、上述の通り構成されているので次に記載する効果を奏する。
１．人工産卵基質は、様々な形状の台座金具に取付けることが可能で、ブロックをはじめ天然岩礁、砂質底などの様々な海底に取付けることができる。
２．また、人工産卵基質は、水深が深く、天然藻場が形成されない場所や、藻場の着生基質が存在しない砂質底ならびに磯焼け海域、新規に設置した構造物など場所を選ばずに設置することができ、人工的な藻場を形成することが可能である。
３．人工産卵基質の形状、寸法、設置の密度などを変化させることで、その海域に応じた魚類の産卵藻場を形成することが可能である。
人工産卵基質は、魚類の回遊が見られるものの産卵する海藻が存在しない場所や、実際に産卵場として機能している場所に設置することで、魚類産卵場としての機能を発揮し、新たに産卵場を造成することや産卵場の拡大を期待できる他、天然海藻類の繁茂量の年変動が大きく、それに伴い魚類の産卵量が不安定な海域において安定的な産卵場を形成することが可能である。
４．人工産卵基質は、擬似的な藻場環境を形成し、人工産卵基質自体に付着する付着生物や、天然の藻場に生息する様々な生物の生息場としても機能し、豊かな沿岸生態系を人工的に創出することも可能である。
５．構造物に対してはあらかじめ陸上で構造物に設置した状態で海中に設置することができ、設置のコストを安価にすることが可能であると同時にその効果が設置後直ちに期待できる。
これらのことは自然環境と調和する構造物づくりに適応した技術である。
６．このほか、安価に製造できる、部品点数が少ないので組立が容易である、経済的である、などの効果をも有するものである。
【図面の簡単な説明】
【図１】  人工産卵基質の斜視図である。
【図２】  同上の他の実施例の斜視図である。
【図３】  図２の平面図である。
【図４】  図２において茎と主枝と枝を一体成型した場合の平面図である。
【図５】  茎と主枝の関係を説明する略図的正面図である。
【図６】  茎と主枝の関係を説明する略図的正面図である。
【図７】  茎と主枝の関係を説明する略図的正面図である。
【図８】  茎と主枝の関係を説明する略図的正面図である。
【図９】  人工産卵基質の他の実施例の斜視図である。
【図１０】  本発明を説明する１部を省略した斜視図である。
【図１１】  テトラポッドに取付けた状態の斜視図である。
【図１２】  同上における１部を切欠いた要部拡大図である。
【図１３】  敷設状態を示す斜視図である。
【図１４】  同上における１部を切欠いた要部拡大図である。
【符号の説明】
１  人工産卵基質
１Ａ  茎
１Ｂ  主枝
１Ｃ  枝
１Ｄ  取付け用小枠
１Ｅ  結束タイ
Ａ  魚類の産卵場用魚礁
３  台座金具
【図１】
0003777385.tif 000002
【図２】
0003777385.tif 000003
【図３】
0003777385.tif 000004
【図４】
0003777385.tif 000005
【図５】
0003777385.tif 000006
【図６】
0003777385.tif 000007
【図７】
0003777385.tif 000008
【図８】
0003777385.tif 000009
【図９】
0003777385.tif 000010
【図１０】
0003777385.tif 000011
【図１１】
0003777385.tif 000012
【図１２】
0003777385.tif 000013
【図１３】
0003777385.tif 000014
【図１４】
0003777385.tif 000015